(57)【要約】      （修正有）【課題】部材の裏面を塗る作業に優れ、塗りムラなどの発生を防ぐことができるハケを提供する。【解決手段】毛先を束ねてなるハケ部２と、取っ手部４と、ハケ部の一部と取っ手部の一部を固定してなる首部３とを有するハケであって、首部は、外周部を映り込みが可能な鏡面部材で構成すると共に、ハケ部の取り付け角度が変えられる可動構造部を設け、可動構造部は、溝状の凹み、スリット、ドット状に並べられた穴、切れ込みのいずれかの構造よりなる。【選択図】図１
0003194360.tif 000002
【実用新案登録請求の範囲】
【請求項１】
塗装等に使用されるハケにおいて毛先を束ねているハケ先と取手を固定している、首の角度を変えられるように、ハケの一部分に曲げられるように加工や器具を利用している（溝状の凹み、スリット、ドット状に穴を並べて開けておく、切れ込みを入れる、可動器具など。）首部分を有し、この首部は映り込みが可能な鏡面状のもので構成されていることを特徴とするハケ。
【考案の詳細な説明】
【技術分野】
【０００１】  本考案は、ハケ塗装時に壁面近くなどに設置されたパイプ・その他の見えない裏面になる部分をたやすく視認しながら塗れるハケである。
【背景技術】
【０００２】  従来のハケは、取手部分と毛先を束ねたハケ部分の取り付け角度が、一定的形状で製作されている構造が多く、一部ですが、取手部分が一部針金状の小筆でハケの角度曲げられるものもありますが、可動部の針金は強固な固定材質ではなく、取手の動作とハケの動作が手に直接伝わらず、しっかりと十分に塗布を視認しながら固定された首部で作業のできるものはありません。【０００３】  しかしながら、従来のハケは、壁面近くなど狭い部分での作業に適した形状に変更できないので、狭小隠れ部分の塗面に対して、効果的なハケ塗ができず、無理をすれば、取手部分や作業者自身の手が他の部分に接触して汚してしまうなど、非効率的な利用を余儀なくされてしまいます。【０００４】  さらに、従来のハケは、直接視認できない部分を塗るときには、とりあえず、ぬれているだろうとの感覚で塗り、その後に鏡などを使わなければ塗れているかどうか確認できない欠点がある。【０００５】  従来のハケは、作業に適した首部の形状にする場合、適当な道具を活用しながら形状変更を事前に行うこともあるが、形状変更を確実にできるものはなく、毛材を束ねているハケ部分の緩みなどによる破損、形状のバラつきの発生などによって、予期した効果が生まれないこともあり、なかなか不便なものである。
【先行技術文献】
【非特許文献】
【非特許文献】「カタログ  ｈｔｔｐ：／／ｗｗｗ．ｍａｒｕ−ｔ．ｃｏ．ｊｐ／ｓｏｕｋａｔａ／ｄｂｏｏｋ／ｂｏｏｋ３４４．ｈｔｍｌ  大塚刷毛製造株式会社」
【考案の概要】
【考案が解決しようとする課題】  従来のハケは、のぞき込めないような視認できない部分の塗装作業が困難であり、十分な塗布によって、資材などの健全な状態を保つ作業には重要な課題です。このような欠点を改善し、資材などの健全な状態を保つ作業要素を向上させ、塗布の目的を達成するものである。【０００６】  本考案は、以上のような従来の欠点に鑑み、のぞき込めない視認できないような壁面など狭小部分を塗布できるよう、毛先を束ねたハケ部分の取り付け角度が、簡単に変えられるようにし、作業の効率化が図られるとともに、資材などの健全な状態を保つ作業要素を向上させ、資材の保安向上を提供することを目的としている。【０００７】  本考案は、のぞき込めない視認できないような壁面など狭小部分を、毛先を束ねたハケ部分に作業の様子が映り込み、視認できるようにしたものです、このため、作業を中断し塗布部分の確認をする必要がなくなり、塗布の不完全をなくし、十分な塗布により資材などの健全な状態を保ち、安全の向上を提供することを目的としている。
【問題を解決するための手段】
【０００８】  上記目的を達成するために、本考案は、塗装等に使用されるハケ１において、該ハケ１は、毛材を束ねてなるハケ部２と、ハケ部の一部と取手部の一部を固定してなる首部３と、取手部４とを有するものであって、前記首部３は、外周面の長手方向に映り込み部分とし、この一部に毛先を束ねたハケ部分の取り付け角度が、簡単に変えられるように、▲１▼溝状の凹み、▲２▼スリット、▲３▼ドット状に穴を並べて開けておく、▲４▼切れ込みを入れる、▲５▼可動器具などのような形態を有した首部３によって、取手部４に固定された、狭小隠れ部分を視認しながら塗れるハケです。また、首部３に鏡面状部材５を取り付け添付することによっても同様の効果が得られるハケである（［請求項１］の構成要件）とで（考案の名称）を構成している。
【考案の効果】
【０００９】  以上の説明から明らかなように、本考案にあっては次に列挙する効果が得られる。
（１）（［請求項１］の構成要件）とで構成されているので、以下のように、
▲１▼毛先を束ねているハケ先と取手を固定している、首の角度を変えられるように、ハケの一部分に曲げられるように加工や器具を利用している、（溝状の凹み、スリット、ドット状に穴を並べて開けておく、切れ込みを入れる、可動器具など。）部分を内側にして、反対側より力を加えて曲げることにより、ハケ先を見えない裏側部分に効率良く当てることが可能となり、十分な塗布ができる。
▲２▼毛先を束ねているハケ先と取手を固定している、首部分を鏡状にするため、映り込みができる材質を添付、又は、首部分そのものに、映り込みが可能な材質を用いたときは、よぶんな装飾加工をせず平面部分を多く取ることによって、映り込みが可能となり、ハケ先の状況が映し出されることとなり狭小隠れ部分を視認しながら塗れる。また、鏡面状部材を取り付け添付することによっても同様の効果が得られる。
ハケ先部分を曲げることができるハケ、ハケ先の様子が視認できる、ハケによって、従来のハケでは作業の困難な部分が、作業できるハケになり、裏側のような部分で視認できない部分も視認できるハケである。
【図面の簡単な説明】
【００１０】
【図１】本考案を実施するための最良の第１の形態の斜視図である。
【図３】本考案を実施するための鏡面状部材の応用例の斜視図である。
【図２】本考案を実施するための首部応用例の斜視図である。
【考案を実施するための形態】
【００１２】  以下、本考案の実施の形態を図に基づいて説明する
【実施例】
【００１３】  図１は、本考案の実施例１の拡大図であって、首部３は、外周面の長手方向に映り込み部分とし、この一部に毛先を束ねたハケ部分の取り付け角度が、簡単に変えられるように、▲１▼溝状の凹み、▲２▼スリット、▲３▼ドット状に穴を並べて開けておく、▲４▼切れ込みを入れる、などのような形態を有した首部３によって、取手部４に固定された、狭小隠れ部分を視認しながら塗れるハケである、また、首部３に鏡面状部材５を取り付け添付することによっても同様の効果が得られるハケである【００１４】  図２は、本考案の実施応用例であって、毛先を束ねたハケ部分の取り付け角度が、簡単に変えられるように、可動器具などのような形態を有した首部３によって、取手部４に固定された、狭小隠れ部分を視認しながら塗れるハケである
【産業上の利用可能性】
【００１５】  図３は、本考案の実施応用例であって、首部３に鏡面状部材５を取り付け添付することによって、取手部４に固定された、狭小隠れ部分を視認しながら塗れるハケである【００１６】  本考案は、資材・部材の設備などの塗装産業で利用される。
【符号の説明】
【００１７】    １ハケ
２毛材を束ねてなるハケ部
３ハケ部
４取手部
５鏡面状部材
【図１】
0003194360.tif 000003
【図２】
0003194360.tif 000004
【図３】
0003194360.tif 000005
【手続補正書】
【提出日】平成26年8月13日(2014.8.13)
【手続補正１】
【補正対象書類名】実用新案登録請求の範囲
【補正対象項目名】全文
【補正方法】変更
【補正の内容】
【実用新案登録請求の範囲】
【請求項１】
毛先を束ねてなるハケ部と、取っ手部と、前記ハケ部の一部と前記取っ手部の一部を固定してなる首部とを有するハケであって、前記首部は、外周部を映り込みが可能な鏡面部材で構成すると共に、前記ハケ部の取り付け角度が変えられる可動構造部を設け、前記可動構造部分は、溝状の凹み、スリット、ドット状に並べられた穴、切れ込みのいずれかの構造よりなることを特徴とする、ハケ。